(57)【特許請求の範囲】
【請求項１】
肛門に挿入して直腸内の便を体外に強制的に排出させる排便器具であって、外管と同外管内を回動且つ長手方向に摺動自在に嵌挿した内管の二重管構造で、外管の先端部を切欠して便を取り込む所定長さの取込口を設け、外管の後部の一部を切欠して取り込まれた便を排出する所定長さの排出口を設け、内管の先端部を切欠して外管の取込口で取り込まれた便を収容する所定長さの収容空間を設け、外管の排出口に内管の収容空間に収容された便を外部に掻き出す掻出手段を設け、外管及び内管のいずれか又は双方の回転で外管の取込口から内管の収容空間内に便を外管外の便と分断して収容し、内管をその収容空間が外管の排出口に到来するように摺動させて掻出手段で外部に掻き出すことにより便を体外に強制的に排出できるようにした排便器具。
【請求項２】
掻出手段が、外管の排出口の後方側縁部に弾性を有する掻出片を外管の前方に向けて外管の内部側に付勢するように設け、外管の排出口に到来した内管の収容空間内の便が付勢力で内管の収容空間内に嵌入した掻出片に沿って外部に掻き出されるようにした構成である請求項１記載の排便器具。
【請求項３】
外管の取込口と排出口をそれぞれ対向する位置に設け、内管の半回転で内管の収容空間が外管の排出口と同一線上に到来するようにし、内管の回転操作量を低減できるようにした請求項１又は２記載の排便器具。
【請求項４】
外管の排出口に同排出口から排出された便を収納する収納体を設けた請求項１〜３いずれか記載の排便器具。
【請求項５】
収納体が合成樹脂製の収納袋で、外管の排出口に溶着されたものである請求項４記載の排便器具。
【請求項６】
外管の取込口前端を閉塞して緩やかな曲面状に形成し、肛門に円滑に挿入できるようにした請求項１〜５いずれか記載の排便器具。
【請求項７】
内管の後端部にモータの駆動力で回動及び前後摺動させる駆動部を脱着自在に設け、内管の操作を電動で行えるようにした請求項１〜６いずれか記載の排便器具。
【請求項８】
外管と内管の後端部に外管と内管をそれぞれ同時に正逆回動且つ内管を前後摺動させる駆動部を脱着自在に設け、少ない回転操作量で便を効率的に収容できるようにした請求項１〜６いずれか記載の排便器具。
【発明の詳細な説明】
【０００１】
【発明の属する技術分野】
本発明は、自力で排便できない人の便を強制的に体外へ排出させる器具に関する。
【０００２】
【従来の技術】
従来、直腸内から便を強制的に排出するには処置者が便を指で掻き出していた。人の指で処置することは被処置者にとって不快であり、処置に時間を要する問題もあった。
そこで、本出願人は破砕刃によって便を破砕して排出させる排便器具を発明し、実用に供している。人の指で処置を行う方法と比較して効率良く排出できるようになったが、さらに効率良く多量の便を一度に排出できる技術が求められている。
【０００３】
【発明が解決しようとする課題】
本発明が解決しようとする課題は、従来のこれらの問題点を解消し、容易な操作で多量の便を一度に排出できる排便器具を提供することにある。
【０００４】
【課題を解決するための手段】
かかる課題を解決した本発明の構成は、
１）  肛門に挿入して直腸内の便を体外に強制的に排出させる排便器具であって、外管と同外管内を回動且つ長手方向に摺動自在に嵌挿した内管の二重管構造で、外管の先端部を切欠して便を取り込む所定長さの取込口を設け、外管の後部の一部を切欠して取り込まれた便を排出する所定長さの排出口を設け、内管の先端部を切欠して外管の取込口で取り込まれた便を収容する所定長さの収容空間を設け、外管の排出口に内管の収容空間に収容された便を外部に掻き出す掻出手段を設け、外管及び内管のいずれか又は双方の回転で外管の取込口から内管の収容空間内に便を外管外の便と分断して収容し、内管をその収容空間が外管の排出口に到来するように摺動させて掻出手段で外部に掻き出すことにより便を体外に強制的に排出できるようにした排便器具
２）  掻出手段が、外管の排出口の後方側縁部に弾性を有する掻出片を外管の前方に向けて外管の内部側に付勢するように設け、外管の排出口に到来した内管の収容空間内の便が付勢力で内管の収容空間内に嵌入した掻出片に沿って外部に掻き出されるようにした構成である前記１）記載の排便器具
３）  外管の取込口と排出口をそれぞれ対向する位置に設け、内管の半回転で内管の収容空間が外管の排出口と同一線上に到来するようにし、内管の回転操作量を低減できるようにした前記１）又は２）記載の排便器具
４）  外管の排出口に同排出口から排出された便を収納する収納体を設けた前記１）〜３）いずれか記載の排便器具
５）  収納体が合成樹脂製の収納袋で、外管の排出口に溶着されたものである前記４）記載の排便器具
６）  外管の取込口前端を閉塞して緩やかな曲面状に形成し、肛門に円滑に挿入できるようにした前記１）〜５）いずれか記載の排便器具
７）  内管の後端部にモータの駆動力で回動及び前後摺動させる駆動部を脱着自在に設け、内管の操作を電動で行えるようにした前記１）〜６）いずれか記載の排便器具
８）  外管と内管の後端部に外管と内管をそれぞれ同時に正逆回動且つ内管を前後摺動させる駆動部を脱着自在に設け、少ない回転操作量で便を効率的に収容できるようにした前記１）〜６）いずれか記載の排便器具
にある。
【０００５】
【作用】
本発明によれば、内管の収容空間を外管の取込口に合わせて肛門に挿入し、内管及び外管のいずれか又は双方を回転させて外管の取込口から内管の収容空間内に便を外管外の便と分断して収容し、内管をその収容空間が外管の排出口に到来するように摺動させて掻出手段で外部に掻き出すことにより便が体外に強制的に排出される。
掻出手段が弾性を有する掻出片を外管の内部側に付勢するように設けたものは、外管の排出口に到来した内管の収容空間内の便が付勢力で内管の収容空間内に嵌入した掻出片に沿って掻き出される。
外管の取込口と排出口をそれぞれ対向する位置に設けたものは、内管の半回転で内管の収容空間が外管の排出口と同一線上に到来することにより内管の回転操作量が低減される。
外管の取込口前端を閉塞して緩やかな曲面状に形成したものは、肛門に円滑に挿入できるようにして被処置者の痛みを軽減する。
【０００６】
【発明の実施の形態】
本発明の排便器具の外管と内管は安価で衛生的なプラスチック製のものが一般的に用いられる。寸法としては外管は直径１５〜２０ｍｍ、長さ２５〜３０ｃｍのものが採用され、内管は前記外管内に回動及び前後摺動可能な寸法とする。
掻出手段としては、略くの字状に成型した弾性を有するプラスチックからなる板状の掻出片を外管の排出口に外管内部側に付勢するように設けた構成が安価でシンプルであることから一般的に用いられるが、その他内管の収容空間が外管の排出口に到来したときに収容空間内の便が掻き出し可能な機構であれば全て採用できる。
収納体としては、箱型やチューブ状の容器、袋などが脱着自在又は固着的に設けられ、外管及び内管と共に廃棄処分できる素材のものが望ましい。あるいは、外管の排出口に吸引装置等を取り付けて便を別箇所に回収して処理する方法も採用できる。
外管の取込口前端は閉塞して緩やかな曲面状に形成するのが肛門への挿入時に痛みを軽減できるので望ましく、さらに外管の取込口前端に表面が平滑で挿入後腸液で溶解するコーン状の被覆部材を取り付けて被処置者の負担をより軽減するようにしてもよい。
駆動部としては、モータの駆動力で回動及び前後摺動させる機構を内管の後端に脱着自在に取り付けると、処置者の疲労を軽減できるので望ましい。また、内管の回転だけでなく外管と内管をそれぞれ９０°正逆回転させることでより少ない回転操作量で便を収容できる機構としてもよい。
【０００７】
以下、本発明の各実施例を図面に基づいて具体的に説明する。
【０００８】
【実施例】
実施例１（図１〜７参照）
図１〜７に示す実施例１は、内管の後部に内管を前後方向と回転方向に可動させる２つのモータを具備した駆動部を脱着自在に取り付け、電動で操作できるようにした排便器具の例である。
図１は、実施例１の排便器具の上斜視図である。
図２は、実施例１の排便器具の下斜視図である。
図３は、実施例１の外管及び内管の縦断面図である。
図４は、実施例１の駆動部の内部説明図である。
図５は、実施例１の排便器具の使用状態を示す説明図である。
図６は、実施例１の排便器具の使用状態を示す説明図である。
図７は、実施例１の排便器具の使用状態を示す説明図である。
【０００９】
図中、１は排便器具である。
２は外管であって、内径１８ｍｍ、長さ２５ｃｍの透明なプラスチック製の細長円筒形状で、前部に便を取り込む取込口２ａと後部に取り込んだ便を排出する排出口２ｂをそれぞれ半円状に切り欠くようにして上下反対向きに形成している。先端部２ｃは略コーン状に丸く形成して肛門に円滑に挿入できるようにしている。
３は内管であって、外管２内に嵌挿できる外径１８ｍｍ、長さ３０ｃｍの透明なプラスチック製の細長円筒形状で、前部に外管２の取込口２ａで取り込んだ便を外管２外の便と分断して収容する収容空間３ａを半円状に切り欠いて形成し、後端部の外周にはラック３ｂを形成している。
４は掻出片であって、略くの字状に成型した長さ２５ｍｍの弾性を有する板状のプラスチック製で、外管２の排出口２ｂ後縁に外管２内部に向けて付勢するように取着している。
５は収納袋であって、ポリエチレン製からなり、開封口を外管２の排出口２ｂに溶着している。
６は駆動部であって、ボデー６ａの前部に外管２を脱着自在に挿着する挿着口６ｂと後部に内管３後部が入出する入出口６ｃを形成し、内管３後部に当接して前後摺動と回動をさせるローラ６ｄとギヤ６ｅを各モータ６ｆの出力軸にそれぞれ軸着し、各モータ６ｆは制御部６ｇと接続してバッテリ６ｈで通電した電気をスイッチ６ｉの切換で制御できるようにしている。６ｊは内管３を円滑に前後摺動・回動させるベアリングである。
Ａは肛門、Ｂは便である。
【００１０】
実施例１では、まず外管２内に内管３を先端まで嵌挿して外管２の後端部を駆動部６のボデー６ａの挿着口６ｂに挿着し、内管３の後部をローラ６ｆとベアリング６ｊ間に挿通させて後端部のラック３ｂをギヤ６ｅと歯合させる。
次に図５（ａ）、図６（ａ）に示すように排便器具１を肛門Ａに挿入し、スイッチ６ｉを操作して内管３を回動させると、内管３は図５（ｂ）、図６（ｂ）、（ｃ）に示すように外管２の取込口２ａ近傍の便Ｂを取り囲むように１８０°回動し、はみ出した外管２外の便Ｂを内管３の収容空間３ａの側縁で分断して収容空間３ａ内に収容する。
そして、スイッチ６ｉを操作して内管３を後方へ摺動させ、図５（ｃ）、図７に示すように内管３の収容空間３ａが外管２の排出口２ｂに到来すると掻出片４が付勢力で収容空間３内に嵌入し、そのまま内管３は後方への摺動を継続して便Ｂが掻出片４で収容空間３ａから掻き出され、収納袋５内に落下して収納されることとなる。
なお、一度で排出できない場合は、スイッチ６ｉを操作して内管３を１８０°回動して前方へ摺動させ、再度前記図５（ａ）〜（ｃ）及び図６（ａ）〜（ｃ）、図７の操作を繰り返し行うことにより処置を完了させる。処置完了後は外管２及び内管３を駆動部６から取り外して便Ｂを収納した収納袋５とともに廃棄処分する。
【００１１】
実施例１はこのように構成したから、一度に多量の便を効率良く排出でき、従来の処置者の指で掻き出す方法や破砕して排出させる器具を用いる方法と比較して極めて効率良く短時間に処置を行うことができる。
【００１２】
実施例２（図８〜１２参照）
図８〜１２に示す実施例２は、外管及び内管の後端に接続したグリップの後部外周にラックをそれぞれ形成してギヤを介し、グリップを回転操作することにより外管と内管を同時に正逆回転させて直腸内の便を少ない回転操作量で収容できるようにした排便器具の例である。
図８は、実施例２の排便器具の斜視図である。
図９は、実施例２の駆動部の分解斜視図である。
図１０は、実施例２の駆動部のケーシングを一部切欠した状態の側方から見た内部説明図である。
図１１は、実施例２の駆動部のケーシングを一部切欠した状態の下方から見た内部説明図である。
図１２は、実施例２の排便器具の使用状態を示す説明図である。
【００１３】
図中、２ｄは突起、２ｅはラック、３ｃはキー溝である。
７はグリップであって、前方外周にラック７ａを形成し、前方内側に内管３のキー溝３ｃに嵌合させるキー７ｂを形成し、内管３の後端に接続することにより後方から回転操作できるようにしている。
８は駆動部であって、略環状のケーシング８ａの内部下方に外管２及びグリップ７の各ラック２ｅ，７ａと歯合してそれぞれ正逆回転させるギヤ８ｂ，８ｃ，及び小ギヤ８ｄ，８ｅを回転自在に軸支し、ケーシング８ａ前方内周には外管２の突起２ｄが嵌合して外管２を嵌合状態で回転可能にする条溝８ｆを形成している。
【００１４】
実施例２では、まず内管３を嵌挿した外管２をケーシング８ａ内に挿通して突起２ｄを条溝８ｆに嵌合し、内管３後端に後方からグリップ７を接続して各ラック２ｅ，７ａをケーシング８ａ内のギヤ８ｂ，８ｃとそれぞれ歯合させる。
次に、排便器具１を肛門内に挿入してグリップ７を一方向へ回転させると、グリップ７のラック７ａと歯合しているギヤ８ｂが小ギヤ８ｄとともに回転し、その回転力が小ギヤ８ｄと歯合している小ギヤ８ｅに伝達してギヤ８ｃとともに回転し、その回転力がギヤ８ｃと歯合している外管２のラック２ｅに伝達して外管２がグリップ７（内管３）の回転方向と逆方向に回転する。
この動作により、図１２（ａ）〜（ｃ）に示すように外管２と内管３がそれぞれ９０°正逆回転して直腸内の便Ｂを包み込むように外管２外の便Ｂと分断して収容されることとなる。
その他、符号、構成、作用は実施例１と同じである。
【００１５】
【発明の効果】
以上説明したように、本発明によれば容易な操作で多量の便を一度に効率良く排出できる排便器具を提供できる。
【図面の簡単な説明】
【図１】実施例１の排便器具の上斜視図である。
【図２】実施例１の排便器具の下斜視図である。
【図３】実施例１の外管及び内管の縦断面図である。
【図４】実施例１の駆動部の内部説明図である。
【図５】実施例１の排便器具の使用状態を示す説明図である。
【図６】実施例１の排便器具の使用状態を示す説明図である。
【図７】実施例１の排便器具の使用状態を示す説明図である。
【図８】実施例２の排便器具の斜視図である。
【図９】実施例２の駆動部の分解斜視図である。
【図１０】実施例２の駆動部のケーシングを一部切欠した状態の側方から見た内部説明図である。
【図１１】実施例２の駆動部のケーシングを一部切欠した状態の下方から見た内部説明図である。
【図１２】実施例２の排便器具の使用状態を示す説明図である。
【符号の説明】
１  排便器具
２  外管
２ａ  取込口
２ｂ  排出口
２ｃ  先端部
２ｄ  突起
２ｅ  ラック
３  内管
３ａ  収容空間
３ｂ  ラック
３ｃ  キー溝
４  掻出片
５  収納袋
６  駆動部
６ａ  ボデー
６ｂ  挿着口
６ｃ  入出口
６ｄ  ローラ
６ｅ  ギヤ
６ｆ  モータ
６ｇ  制御部
６ｈ  バッテリ
６ｉ  スイッチ
６ｊ  ベアリング
７  グリップ
７ａ  ラック
７ｂ  キー
８  駆動部
８ａ  ケーシング
８ｂ，８ｃ  ギヤ
８ｄ，８ｅ  小ギヤ
８ｆ  条溝
Ａ  肛門
Ｂ  便
【図１】
0004097423.tif 000002
【図２】
0004097423.tif 000003
【図３】
0004097423.tif 000004
【図４】
0004097423.tif 000005
【図５】
0004097423.tif 000006
【図６】
0004097423.tif 000007
【図７】
0004097423.tif 000008
【図８】
0004097423.tif 000009
【図９】
0004097423.tif 000010
【図１０】
0004097423.tif 000011
【図１１】
0004097423.tif 000012
【図１２】
0004097423.tif 000013